(57)【要約】【課題】入出力音が劣化しにくい状態で騒音を低減する電子機器を提供すること。【解決手段】筐体２と、楽音データを再生処理する再生処理部３と、楽音を出力する放音面４ａを有する出力部４と、回転体５ｂを回転駆動する駆動部５ａと、駆動部５ａを制御する駆動制御部６と、回転体５ｂの回転数に基づいて、再生処理部３での再生処理に基づく楽音を加工する加工部７とを備え、筐体２は、放音面４ａが露出する開口部２１を有し、放音面４ａから出力された楽音を外部に導く導音経路２２が形成されており、駆動部５ａは、導音経路２２上の所定の位置に配置される。【選択図】図１
2011175113.tif 000002
【特許請求の範囲】
【請求項１】
筐体と、
楽音データを再生処理する再生処理部と、
楽音を出力する放音面を有する出力部と、
回転体を回転駆動する駆動部と、
前記駆動部を制御する駆動制御部と、
前記回転体の回転数に基づいて、前記再生処理部での再生処理に基づく楽音を加工する加工部と、を備え、
前記筐体は、前記放音面が露出する開口部を有し、前記放音面から出力された楽音を外部に導く導音経路が形成されており、
前記駆動部は、前記導音経路上の所定の位置に配置されることを特徴とする電子機器。
【請求項２】
前記加工部は、前記再生処理された楽音の信号を、前記駆動部を駆動させたときの駆動音の周波数の情報に基づいて加工する加工処理を行うことを特徴とする請求項１記載の電子機器。
【請求項３】
前記加工処理は、前記再生処理部での再生処理に基づく楽音の周波数と前記駆動部の駆動音の周波数とが一致する場合に行われ、
前記加工処理は、前記再生処理部での再生処理に基づく楽音のうち、一致した周波数にかかる前記楽音の周波数をｎ倍に変更することにより楽音を加工する処理であることを特徴とする請求項２記載の電子機器。
【請求項４】
前記加工部は、前記再生処理に基づく楽音の信号或いは前記加工された楽音の信号と、前記駆動音と同一の周波数で且つ逆位相の音の信号と、を加算する加算処理を行うことを特徴とする請求項２または請求項３に記載の電子機器。
【請求項５】
筐体と、
楽音データを再生処理する再生処理部と、
楽音を出力する放音面を有する出力部と、
回転体を回転駆動する駆動部と、
前記駆動部を制御する駆動制御部と、
前記再生処理部での再生処理に基づく楽音の周波数を検出する周波数測定部と、を備え、
前記駆動制御部は、前記出力部による楽音の出力から所定時間後における前記回転体の回転駆動により生じる駆動音の周波数が、前記周波数測定部により検出された楽音の周波数の１／ｎ倍になるように、前記周波数測定部の検出結果に基づいて前記駆動部を制御し、
前記筐体は、前記放音面が露出する開口部を有し、前記放音面から出力された楽音を外部に導く導音経路が形成されており、
前記駆動部は、前記導音経路上の所定の位置に配置されることを特徴とする電子機器。
【請求項６】
筐体と、
楽音データを再生処理する再生処理部と、
楽音を出力する放音面を有する出力部と、
回転体を回転駆動する駆動部と、
前記駆動部を制御する駆動制御部と、
前記再生処理部での再生処理に基づく楽音の周波数を検出する測定部と、を備え、
前記駆動制御部は、前記測定部により検出された楽音の周波数に基づいて、前記駆動部が前記回転体を回転駆動する際に生ずる音が、出力される楽音によってマスキングされるように前記回転体の回転数を制御し、
前記筐体は、前記放音面が露出する開口部を有し、前記放音面から出力された楽音を外部に導く導音経路が形成されており、
前記駆動部は、前記導音経路上の所定の位置に配置されることを特徴とする電子機器。
【発明の詳細な説明】
【技術分野】
【０００１】
本発明は、騒音を低減する電子機器に関する。
【背景技術】
【０００２】
従来より、モータの駆動音の騒音を低減する機能を備えた電子機器としては特許文献１記載のものが知られている。この特許文献１記載の電子機器は、騒音となる駆動音の低減用にスピーカを設けて、このスピーカから駆動音の周波数の信号と逆位相となる音を出力して、駆動音をキャンセルすることにより、騒音の低減を図っている。
【先行技術文献】
【特許文献】
【０００３】
【特許文献１】特開平５−９８９２６号公報
【発明の概要】
【発明が解決しようとする課題】
【０００４】
しかし、上述した電子機器においては、例えば、音楽等の楽音を出力する場合に、駆動音をキャンセルするために出力された音により、出力した楽音と駆動音をキャンセルするために出力した音とが干渉してしまうことにより、楽音が劣化してしまうという問題があった。
【０００５】
本発明は、出力する楽音が劣化しにくい状態で、騒音を低減することができる電子機器を提供することを目的とする。
【課題を解決するための手段】
【０００６】
本発明に係る電子機器は、上述した課題を解決するために、筐体と、楽音データを再生処理する再生処理部と、楽音を出力する放音面を有する出力部と、回転体を回転駆動する駆動部と、前記駆動部を制御する駆動制御部と、前記回転体の回転数に基づいて、前記再生処理部での再生処理に基づく楽音を加工する加工部とを備え、前記筐体は、前記放音面が露出する開口部を有し、前記放音面から出力された楽音を外部に導く導音経路が形成されており、前記駆動部は、前記導音経路上の所定の位置に配置されることを特徴とする。
【０００７】
また、前記加工部は、前記再生処理された楽音の信号を、前記駆動部を駆動させたときの駆動音の周波数の情報に基づいて加工する加工処理を行うことが好ましい。
【０００８】
また、前記加工処理は、前記再生処理部での再生処理に基づく楽音の周波数と前記駆動部の駆動音の周波数とが一致する場合に行われ、前記加工処理は、前記再生処理部での再生処理に基づく楽音のうち、一致した周波数にかかる前記楽音の周波数をｎ倍に変更することにより楽音を加工する処理であることが好ましい。
【０００９】
また、前記加工部は、前記再生処理された楽音の信号或いは前記加工された楽音の信号と、前記駆動音と同一の周波数で且つ逆位相の音の信号と、を加算する加算処理を行うことを特徴とすることが好ましい。
【００１０】
また、本発明に係る電子機器は、上述した課題を解決するために、筐体と、楽音データを再生処理する再生処理部と、楽音を出力する放音面を有する出力部と、回転体を回転駆動する駆動部と、前記駆動部を制御する駆動制御部と、前記再生処理部での再生処理に基づく楽音の周波数を検出する周波数測定部と、を備え、前記駆動制御部は、前記出力部による楽音の出力から所定時間後における前記回転体の回転駆動により生じる駆動音の周波数が、前記周波数測定部により検出された楽音の周波数の１／ｎ倍になるように、前記周波数測定部の検出結果に基づいて前記駆動部を制御し、前記筐体は、前記放音面が露出する開口部を有し、前記放音面から出力された楽音を外部に導く導音経路が形成されており、前記駆動部は、前記導音経路上の所定の位置に配置されることを特徴とする。
【００１１】
また、本発明に係る電子機器は、上述した課題を解決するために、筐体と、楽音データを再生処理する再生処理部と、楽音を出力する放音面を有する出力部と、回転体を回転駆動する駆動部と、前記駆動部を制御する駆動制御部と、前記再生処理部での再生処理に基づく楽音の周波数を検出する測定部と、を備え、前記駆動制御部は、前記測定部により検出された楽音の周波数に基づいて、前記駆動部が前記回転体を回転駆動する際に生ずる音が、出力される楽音によってマスキングされるように前記回転体の回転数を制御し、前記筐体は、前記放音面が露出する開口部を有し、前記放音面から出力された楽音を外部に導く導音経路が形成されており、前記駆動部は、前記導音経路上の所定の位置に配置されることを特徴とする。
【発明の効果】
【００１２】
本発明によれば、出力する楽音が劣化しにくく、且つ騒音を低減することができる電子機器を提供できる。
【図面の簡単な説明】
【００１３】
【図１】本発明に係る電子機器の一例である情報処理装置の筐体内部構造の一部を示す図である。
【図２】第１の実施形態に係る情報処理装置の機能を示す機能ブロック図である。
【図３】第２の実施形態に係る情報処理装置の筐体内部構造の一部を示す図である。
【図４】第２の実施形態に係る情報処理装置の機能を示す機能ブロック図である。
【図５】第３の実施形態に係る情報処理装置の機能を示す機能ブロック図である。
【図６】第４の実施形態に係る情報処理装置の機能を示す機能ブロック図である。
【図７】スペクトルマスキングにおける周波数特性を示す図である。
【発明を実施するための形態】
【００１４】
以下、本発明の第１の実施形態について図１及び図２を用いて、説明する。本実施形態においては、本発明に係る電子機器のうちパーソナルコンピュータ等の情報処理装置１に適用した例を示す。
【００１５】
情報処理装置１は、少なくとも、図示しないＣＰＵと、メモリ３１と、ヒートシンク３２と、ファン装置５と、スピーカ４（出力部）とを備えて構成される。
ＣＰＵは、中央演算処理装置により構成され、情報処置装置全体を制御する。
メモリ３１は、例えば、ＲＯＭ、ＲＡＭ等により構成され、各種データを記憶する。
ヒートシンク３２は、ＣＰＵ等の発熱部品から放熱可能に構成される。
ファン装置５は、モータ５ａ（駆動部）が回転駆動することにより送風を行うファン５ｂ（回転体）を備える。本実施形態において、ファン装置５は、ヒートシンク３２への送風を行うように構成される。
スピーカ４は、後述するＤＳＰ３（再生処理部）により再生処理された楽音の出力を行う。また、スピーカ４は、楽音の出力部分となる放音面４ａを有する。なお、本実施形態において、楽音とは、ある時間継続した一定の振動数をもち、その振動数（音の高さ）が認識できる音であり、例えば、音声、音楽等その他情報処理装置１において入出力可能な音を含むものとして定義する。
【００１６】
次に、第１の実施形態に係る情報処理装置１の筐体構造について、図１（ａ）を用いて説明する。
筐体２は、少なくとも、放音面４ａが露出する開口部２１を有し、放音面４ａから出力された楽音を外部に導く導音経路２２が形成されている。この際、ファン装置５は、導音経路２２上の所定の位置に配置される。図１（ａ）では、ファン装置５は、ヒートシンク３２に対向する位置に導音経路２２を隔てて配置され、スピーカ４とは導音経路２２を隔てた位置に配置された様子を示している。
また、筐体２は、図１（ａ）に示すように、本実施形態においては、導音経路２２を隔てて、開口部２１を有する第１の格納部２３と、送風口２５を有する第２の格納部２４とを備える。
第１の格納部２３には、開口部２１に対応して放音面４ａを配置したスピーカ４が格納され、スピーカ４に並列してヒートシンク３２が格納される。
第２の格納部２４には、送風口２５に対応してファン５ｂを配置したファン装置５が格納される。
したがって、情報処理装置１においては、図１（ａ）に示すように、スピーカ４の出力を行うことで、開口部２１を介して導音経路２２を通じて、楽音が装置外部に出力される。また、情報処理装置１においては、ファン装置５を駆動させることで、送風口２５を介して、ヒートシンク３２に対して送風が行われ、ヒートシンク３２が位置する部分に当たって温められた風は、導音経路２２を通じて、装置外部に排気される。この際、ファン装置５の駆動音も同様に、導音経路２２を通じて、装置外部に出力される。
【００１７】
また、第１の実施形態に係る情報処理装置１は、さらに詳細には、図２に示すように、以下の構成を備える。
情報処理装置１は、筐体２と、ＤＳＰ３と、駆動制御部６と、加工部７とを備える。メモリ３１には、楽音の出力に供される楽音データが格納される。
ＤＳＰ（Ｄｉｇｉｔａｌ  Ｓｉｇｎａｌ  Ｐｒｏｃｅｓｓｉｎｇ、音声処理部）３は、メモリ３１に格納される楽音データを再生処理する。ＤＳＰ３は、詳細には、スピーカ４から出力可能な信号に楽音データを再生処理する。
駆動制御部６は、ファン５ｂの回転数を決定し、駆動回路３５を介して、モータ５ａを制御する。
【００１８】
このように構成される情報処理装置１は、ＤＳＰ３により、楽音データを再生処理し、再生処理された楽音データは信号としてスピーカ４に送信される。そして、信号として送信された楽音は、スピーカ４から出力される。情報処理装置１においては、スピーカ４から楽音を出力する際に、加工部７は、駆動制御部６によって決定されるファン５ｂの回転数に基づいて、ＤＳＰ３での再生処理に基づく楽音に対して、変更等を加える加工をする。加工部７は、詳細には、ＤＳＰ３により再生処理されて、スピーカ４に送信される楽音の信号に対して、変更等を加える加工をする。
【００１９】
スピーカ４は、図１（ａ）に示すように、放音面４ａが開口部２１を介して導音経路２２に露出している。このため、加工部７によって加工等の処理をされた楽音は、導音経路２２を通って筐体２の外部に出力される。また、ファン装置５は、導音経路２２上の所定の位置に配置されている。このため、モータ５ａが駆動することにより生じる駆動音は、導音経路２２を通って筐体２の外部に出力されることになる。つまり、スピーカ４からの加工部７によって加工等の処理をされた楽音とモータ５ａからの駆動音は、共に導音経路２２を通って筐体２の外部に出力される。その結果、情報処理装置１では、スピーカ４からの楽音の出力とファン装置５の駆動（駆動音の出力）が同時に行われることにより、導音経路２２において、加工部７によって加工等の処理をされた楽音と駆動音とが干渉することになる。その結果、情報処理装置１では、加工部７によって加工等の処理をされた楽音と駆動音とが干渉することにより、より聞きやすい楽音が出力される。
【００２０】
したがって、情報処理装置１においては、加工部７によって加工等の処理をされた楽音により、騒音となる駆動音の影響を低減でき、楽音を劣化しにくくすることができる。
【００２１】
加工部７は、ＤＳＰ３により再生処理された楽音の信号（基礎楽音）を、モータ５ａを駆動させたときの駆動音の周波数の情報に基づいて加工する加工処理を行う。また、加工部７の加算処理部８では、加工された楽音（加工楽音）の信号と、駆動音と同一の周波数で且つ逆位相の音の信号とを加算して、加算楽音を合成する処理を行う。
また、メモリ３１は、騒音干渉用データ及びモータ回転数情報データを格納する。騒音干渉用データは、モータ５ａを所定の回転数で駆動した場合に対応する駆動音（駆動音の周波数を含む）のデータである。モータ回転数情報データは、モータ５ａの回転数、つまり、駆動制御部６によりモータ５ａの駆動情報のデータである。
また、情報処理装置１は、騒音干渉用データの中から回転数に対応する周波数を選択する騒音干渉用データ選択部３３を備える。
【００２２】
このように構成される情報処理装置１は、楽音の出力時に加工部７の加算処理部８により、加工部７にて加工処理された楽音の周波数の信号に、ファン５ｂを回転駆動させたときの駆動音の周波数に対応付けられた騒音干渉用データ（駆動音の周波数と同一の周波数で且つ逆位相の音を出力するためのデータ）の信号を加算する処理を行う。これにより、加工処理された加工楽音と騒音干渉用楽音とが重畳して、加算楽音が合成される。
【００２３】
その結果、情報処理装置１は、導音経路２２において、駆動音と加算楽音が干渉することで、騒音となる駆動音が低減される。したがって、情報処理装置１は、楽音が劣化しにくい状態で、騒音を低減することができる。
【００２４】
また、ＤＳＰ３により再生処理された楽音の周波数レベルを検出する測定部１４（周波数測定部）を備える。また、加工部７は、楽音の周波数レベルを変更する変更部１０を備える。測定部１４により検出されたＤＳＰ３により再生処理された種々の周波数を含む楽音の周波数のうち、モータ５ａを駆動させたときの駆動音の周波数と一致する楽音が含まれる場合には、変更部１０によりＤＳＰ３により再生処理された楽音のうち、前記一致した楽音の周波数レベルをｎ倍（ｎは２以上の正の整数）に変更する加工処理を行うことにより加工楽音を生成する。
【００２５】
このように構成される情報処理装置１においては、ＤＳＰ３により再生処理された楽音の周波数と、周波数が同一の音（モータ５ａの駆動音）が発生しても、出力される楽音が劣化しにくい。したがって、ＤＳＰ３により再生処理された楽音の周波数とモータ５ａを駆動させたときの駆動音の周波数とが一致している場合であっても、楽音の劣化を低減することができる。
【００２６】
次に、第１の実施形態に係る情報処理装置１の動作について説明する。本実施形態では、ファン装置５によりヒートシンク３２への送風が行われている状態において、スピーカ４から音楽を出力する場合を示す。
【００２７】
情報処理装置１は、アプリケーションを介してユーザからの音楽等の出力命令を受けて、以下に示すスピーカ４から出力される楽音（加算楽音）の生成動作を開始する。
【００２８】
まず、ＤＳＰ３は、出力命令に基づいて、楽音データを処理して出力する。
次に、測定部１４は、ＤＳＰ３により出力された楽音の周波数を検出する。
【００２９】
次に、騒音干渉用データ選択部３３は、駆動制御部６により駆動回路３５を介して回転駆動されているモータ５ａの回転数に基づいて、メモリ３１に格納される騒音干渉用データの中からモータ５ａの回転数に対応する騒音干渉用データを選択する。つまり、騒音干渉用データ選択部３３は、騒音干渉用データの中から、所定の回転数（現在のモータ５ａの回転数）で駆動した場合の駆動音の周波数を取得する。
【００３０】
次に、加工部７は、周波数測定部１４により検出された楽音の周波数と騒音干渉用データ選択部３３により取得された駆動音の周波数とを比較判定する。比較結果において、周波数測定部１４により検出された基礎楽音の周波数と騒音干渉用データ選択部３３により取得された駆動音の周波数とが一致する場合には、加工部７の変更部１０により当該一致した周波数にかかる楽音の周波数レベルだけを、元の一致した楽音の周波数のｎ倍に変更する加工処理を行う。
その後、加工部７の加算処理部８により、加工処理された加工楽音の周波数の信号に、騒音干渉用データ選択部３３により取得された駆動音を低減するための騒音干渉用楽音の周波数の信号を加算して加算楽音を合成する処理を行う。
【００３１】
また、比較結果において、周波数測定部１４により検出された楽音の周波数が、騒音干渉用データ選択部３３により取得された駆動音の周波数を含まない場合には、加工部７の加算処理部８により、基礎楽音の周波数の信号に、騒音干渉用データ選択部３３により取得された駆動音を低減するための騒音干渉用楽音の周波数の信号を加算する。
【００３２】
次に、スピーカ４は、加工部７により楽音の周波数の信号に駆動音の周波数の信号を加算した加算楽音を出力する。具体的には、加工部７により加算処理された楽音（加算楽音）は、図１（ａ）に示すように、スピーカ４の放音面４ａから導音経路２２に向けて出力される。
【００３３】
以上のように動作することにより、情報処理装置１においては、加算楽音の出力時には、モータ５ａの駆動音と逆位相となるように同期させた騒音干渉用楽音とが干渉する。したがって、本実施形態においては、モータ５ａを駆動しながら楽音を出力しても、楽音が劣化しにくい状態で、騒音を低減することができる。
【００３４】
また、本実施形態においては、楽音の周波数と駆動音の周波数とが一致している場合に、一致した楽音の周波数をｎ倍に加工する加工処理を行っているために、楽音が劣化しにくい状態で、筐体２から楽音を出力することができる。
【００３５】
なお、本実施形態においては、図１（ａ）に示すように、導音経路２２の装置出口側にファン５ｂを配置して、装置内部側にスピーカ４を配置、すなわち、駆動音の奥から楽音が出力されるように構成したが、これに限られない。例えば、図１（ｂ）に示すように、導音路の装置出口側にスピーカ４を配置して、装置内部側にファン５ｂを配置、すなわち、楽音の奥から駆動音が出力されるように構成してもよい。
【００３６】
次に、第２の実施形態について、図３及び図４を用いて、説明する。第２の実施形態については、主として、第１の実施形態とは異なる点を説明し、第１の実施形態と同様の構成について同じ符号を付し、説明を省略する。第２の実施形態について特に説明しない点については、第１の実施形態についての説明が適宜適用される。
【００３７】
第２の実施形態の情報処理装置１は、さらに詳細には、以下の構成を備える。
情報処理装置１は、モータ５ａの駆動音を集音するマイク１１（集音部）を備える。マイク１１から集音された入力音は、増幅器３４を介して、入力される。
また、情報処理装置１は、駆動制御部６は、マイク１１によって集音される入力音に基づいて、モータ５ａを制御する。また、情報処理装置１は、マイク１１からの入力結果（マイク音声）を入力処理する入力処理部３８を備える。この入力処理部３８によりマイク１１から入力された音がメモリ３１に格納される。
【００３８】
このように構成される情報処理装置１は、マイク１１により入力音の入力を行う場合において、マイク１１によって集音される入力音に基づいて、駆動制御部６により、ファン５ｂの回転数を回転駆動するようにモータ５ａを制御する。
【００３９】
したがって、情報処理装置１においては、騒音となる駆動音が入力される他の音（入力音）と干渉した場合に駆動音により入力音が劣化してしまうことを避けることができるために、駆動音が入力の妨げとなることがない。したがって、情報処理装置１においては、モータ５ａの駆動において、入力を行う場合においても、入力音の劣化を低減することができる。
【００４０】
また、情報処理装置１は、所定の周波数帯域を遮断するフィルタ１２（ＨＰＦ１２Ａ、ＬＰＦ１２Ｂ）を備える。ＨＰＦ（Ｈｉｇｈ−Ｐａｓｓ  Ｆｉｌｔｅｒ）１２Ａは、高周波をよく通し、遮断周波数より低い周波数の帯域を通さないフィルタ１２である。ＬＰＦ（Ｌｏｗ−Ｐａｓｓ  Ｆｉｌｔｅｒ）１２Ｂは、低周波をよく通し、遮断周波数より高い周波数の帯域を通さないフィルタ１２である。また、駆動制御部６は、駆動音の周波数がフィルタ１２により遮断可能な所定の周波数帯域に属する回転数となるようにファン装置５を制御することができる。このように構成される情報処理装置１は、マイク１１により入力音の入力を行う場合において、駆動制御部６により、駆動音の周波数がフィルタ１２により遮断可能な所定の周波数帯域に属する回転数となるようにファン５ｂを駆動制御するため、フィルタ１２により、騒音となる駆動音をキャンセルすることができる。その結果、情報処理装置１は、マイク１１から入力される入力音への騒音となる駆動音の入り込みを低減することができる。
【００４１】
次に、第２の実施形態に係る情報処理装置１の動作について説明する。本実施形態では、まず、情報処理装置１では、ファン装置５が駆動している状態において、マイク１１を介して音声の入力を行う場合を示す。なお、入力される音声の周波数は、本実施形態においては、３００Ｈｚから４０００Ｈｚの間とする。
【００４２】
情報処理装置１は、アプリケーションを介してユーザから録音命令を受けて、以下に示すマイク１１から音声（入力音）の入力動作を開始する。
【００４３】
まず、駆動制御部６は、入力される音声の周波数（３００Ｈｚから４０００Ｈｚ）に基づいて、ファン５ｂの回転数を制御する。本実施形態において、駆動制御部６は、ファン５ｂの回転数を、ファン５ｂの駆動音の周波数が３００Ｈｚ未満になるように制御する。これにより、ファン５ｂは所定の回転数に制御されて、駆動音の周波数が３００Ｈｚ未満となる。
【００４４】
次に、情報処理装置１においては、マイク１１を介して、ユーザにより音声の入力が行なわれる。音声の入力が行われることにより、マイク１１から増幅器３４を介して、音声と同時にモータ５ａの駆動音も入力される。
【００４５】
マイク１１から入力された入力音（音声とファン５ｂの駆動音）は、ＨＰＦ１２Ａにおいて、所定の周波数帯域の入力音が遮断される。具体的には、ＨＰＦ１２Ａにおいて、３００Ｈｚ未満の周波数であるモータ５ａの駆動音が遮断された音声のみの入力音が入力される。
そして、入力処理部３８は、ＨＰＦ１２Ａからの入力音を入力する。つまり、入力処理部３８には、ファン５ｂの駆動音がキャンセルされた音声〈想定される音声の周波数帯域〉のみの入力音が入力される。
【００４６】
また、本実施形態においては、スピーカ４により楽音を出力する場合には、ＬＰＦ１２Ｂからの入力音を測定部１４により検出し、検出された周波数に基づいて、騒音干渉用データを生成する。この生成された騒音干渉用データに基づいて、加工部７における加工処理や加算処理が行われる。
【００４７】
このように構成することにより、第１の実施形態とは異なり騒音干渉用データ（回転数から想定される駆動音の周波数）を用いずに、実際に駆動する駆動音の周波数から加工部７での周波数の加算量、すなわち、騒音のキャンセル量を決定できる。
【００４８】
なお、本実施形態において、駆動制御部６は、モータ５ａの駆動音の周波数を３００Ｈｚ未満になるように制御したが、これに限られない。駆動制御部６は、例えば、本実施形態における音声の周波数（３００Ｈｚから４０００Ｈｚ）よりも高い周波数になるように制御することができる。このように構成した場合には、ＬＰＦ１２Ｂにより４０００Ｈｚ未満の周波数がカットされた信号を駆動音とし、ＨＰＦ１２Ａにより４０００Ｈｚ以上の周波数がカットされた信号を入力音として入力するように構成すればよい。
【００４９】
次に、第３の実施形態について、図５を用いて、説明する。第３の実施形態については、主として、第１及び第２の実施形態とは異なる点を説明し、第１及び第２の実施形態と同様の構成について同じ符号を付し、説明を省略する。第３の実施形態について特に説明しない点については、第１及び第２の実施形態についての説明が適宜適用される。
【００５０】
第３の実施形態の情報処理装置１は、測定部１４（周波数測定部）と駆動制御部６の間に配置され、測定部１４によって検出された結果を所定時間遅延させて、駆動制御部６に入力する遅延処理部１３を備える。
また、駆動制御部６は、遅延処理部１３から所定時間遅延して入力された測定部１４の検出結果に基づいて、モータ５ａの駆動音の周波数が測定部１４（周波数測定部）により検出された楽音の周波数の１／ｎ倍（ｎは２以上の正の整数）になるようにモータ５ａを制御する。
【００５１】
このように構成される情報処理装置１においては、測定部１４によって検出された結果を所定時間遅延させて、駆動制御部６に入力する遅延処理部１３は、測定部１４と駆動制御部６の間に配置される。つまり、駆動制御部６は、所定時間遅延してからモータ５ａを制御する。そして、駆動制御部６は、遅延処理部１３による処理があった場合に、モータ５ａの駆動音が測定部１４により検出された楽音の周波数の１／ｎ倍になるようにモータ５ａを制御する。その結果、ユーザには、楽音から少し遅れてモータ５ａの駆動音が聞こえることになる。この際、駆動音は、楽音の周波数の１／ｎ倍であるため、ユーザには、プレシーダンス効果が生じることになり、駆動音が聞こえにくくなる。したがって、情報処理装置１は、楽音が劣化しにくい状態で、騒音となる駆動音を低減することができる。
【００５２】
プレシーダンス効果とは、人間の聴覚特性の１つで、音の始めの部分（高調波）が入ってくるとすぐに解析を始めるが、その直後に入ってきた後半の部分（基本波）はマスクされて、耳には届いていても聞こえにくくなるという効果である。本実施形態においては、この効果を利用して、音の始めを楽音とし、後半の音を駆動音とすることで本効果が発揮されるようファン装置５の制御が行われる。
【００５３】
また、遅延処理部１３により遅延させる時間は、プレシーダンス効果を発揮するために求められる時間であり、例えば、楽音のスピーカ４からの出力が行われてから、１から３０ｍｓｅｃの間で設定される。
【００５４】
次に、第３の実施形態に係る情報処理装置１の動作について説明する。本実施形態では、まず、ファン装置５によりヒートシンク３２への送風が行われている状態において、スピーカ４から音楽を出力する場合を示す。
【００５５】
情報処理装置１は、アプリケーションを介してユーザからの音楽の出力命令を受けて、以下に示すスピーカ４から音楽の出力音の出力動作を開始する。
【００５６】
まず、ＤＳＰ３は、出力命令に基づいて、楽音データを処理して出力する。
次に、スピーカ４は、増幅器３４を介して、楽音を出力する。本実施形態においては、１０００Ｈｚの周波数の楽音を出力する。スピーカ４から楽音が出力されることにより、遅延処理部１３は、測定部１４によって検出された結果を所定時間遅延させる遅延処理を行う。つまり、遅延処理部１３においては、測定部１４によって検出された結果を駆動制御部６に入力するためのカウントが開始される。
【００５７】
次に、測定部１４は、ＤＳＰ３により出力された楽音の周波数を検出する。本実施形態においては、１０００Ｈｚの周波数が検出される。
【００５８】
次に、駆動制御部６は、測定部１４により検出された楽音の周波数に基づいて、駆動音の周波数が楽音の周波数の１／ｎ倍（本実施形態においては１／１０倍）になるファン５ｂの回転数を決定する。具体的には、駆動制御部６は、楽音の周波数が１０００Ｈｚであるため、楽音の周波数の１／１０倍となる１００Ｈｚの駆動音の周波数になるファン５ｂの回転数を決定する。
【００５９】
次に、遅延処理部１３は、所定時間経過することにより、駆動制御部６に入力する。なお、遅延処理部１３によりカウントされる楽音の出力からの時間は、プレシーダンス効果を発揮することができる時間を考慮して決定される。
【００６０】
次に、遅延処理部１３からの入力を受けた駆動制御部６は、モータ５ａを測定部１４により検出された楽音の周波数に基づいて、駆動音の周波数が楽音の周波数の１／ｎ倍となるように制御する。具体的には、駆動制御部６は、遅延処理部１３からの遅延処理後に、周波数が１００Ｈｚとなるような駆動音になるようにモータ５ａを制御する。
【００６１】
以上のように動作する本実施形態においては、楽音の出力があった場合において、所定の時間経過後に、駆動制御部６により、楽音の出力よりも低調な楽音の周波数の１／ｎ倍の周波数の駆動音となるように、モータ５ａを制御する。
【００６２】
このため、スピーカ４から出力される楽音を聞くユーザは、聞こえる音の始めの部分、つまり、楽音が聞こえ、次いで、所定時間経過した後から、楽音の周波数よりも低調な周波数となるモータ５ａの駆動音が聞こえるために、プレシーダンス効果により、モータ５ａの駆動音がユーザに聞こえにくくなる。
【００６３】
したがって、情報処理装置１においては、騒音となるモータ５ａの駆動音を低減することができる。また、情報処理装置１においては、楽音に変更を加えることなく、モータ５ａの制御によって騒音を低減することができる。
【００６４】
また、本実施形態において、マイク１１により音声等の入力を行う場合には、駆動制御部６により回転駆動されるファン５ｂの回転数により決定される駆動音の周波数に基づいて、イコライザ１２Ｃにより遮断する周波数帯を決定する。
【００６５】
このように構成することにより、本実施形態においては、音声等をマイク１１から入力した場合には、イコライザ１２Ｃにより駆動音が遮断されるために、音声等のみが入力される。このため、本実施形態においては、マイク１１からの入力音から騒音となるモータ５ａの駆動音を低減させることができる。
【００６６】
次に、第４の実施形態について、図６及び図７を用いて、説明する。第４の実施形態については、主として、第１から第３の実施形態とは異なる点を説明し、第１から第３の実施形態と同様の構成について同じ符号を付し、説明を省略する。第４の実施形態について特に説明しない点については、第１から第３の実施形態についての説明が適宜適用される。
【００６７】
第４の実施形態の情報処理装置１において、測定部１４は、ＤＳＰ３により再生処理された楽音（基礎楽音）の周波数と音圧レベルを検出可能に構成される。また、メモリ３１には、図７に示すように、楽音の所定の周波数の信号を所定の音圧レベルで出力したときに、当該信号によってマスキングされる信号の周波数と音圧レベルの関係を対応付けたテーブル（臨界帯域データ）が格納される。
また、駆動制御部６は、測定部１４により検出された楽音の周波数と音圧レベルに基づいて、テーブルを参照し、モータ５ａがファン５ｂを回転駆動する際に生ずる音が、当該基礎楽音によってマスキングされるようにファン５ｂの回転数を決定し、モータ５ａを制御する。
また、情報処理装置１は、遮断できる周波数を変更可能なフィルタ１２として機能するイコライザ１２Ｃを備える。
【００６８】
このように構成される情報処理装置１は、音圧レベルが検出され、所定の周波数の信号を所定の音圧レベルで出力したときに、当該信号によってマスキングされる信号の周波数と音圧レベルの関係を対応付けた臨界帯域データの値に基づいて決定される臨界帯域内の周波数となるようにモータ５ａを制御する。その結果、ユーザに対しては、スペクトルマスキング効果により、駆動音を聞きとりづらくさせることができる。したがって、情報処理装置１においては、楽音が劣化しにくい状態で、騒音となる駆動音を低減することができる。
【００６９】
なお、スペクトルマスキング効果とは、人間の聴覚特性の１つで、ある音が聞こえているときにもう１つの音を聞くと、２番目の音は、１番目の音によってかき消され（マスクされ）聞こえなくなるという効果である。図７に示すように、音圧と周波数により、マスクされる音の範囲が異なる。例えば、１ｋＨｚの音を出した場合には、図７中ハッチングで示す範囲（０．５ｋＨｚから４ｋＨｚの間）の音は、マスクされる。また、スペクトルマスキングのカーブの形は周波数によって異なり、音圧が異なるとカーブの形も異なる。また、マスキングによって生じるカーブはバンドバスフィルタのような形をしており、このフィルタ１２の通過帯域幅に相当する範囲を、臨界帯域と呼ばれる。
【００７０】
次に、第４の実施形態に係る情報処理装置１の動作について説明する。本実施形態では、まず、ファン５ｂによりヒートシンク３２への送風が行われている状態において、スピーカ４から音楽を出力する場合を示す。
【００７１】
情報処理装置１は、アプリケーションを介してユーザからの音楽の出力命令を受けて、以下に示すスピーカ４から楽音の出力動作を開始する。
【００７２】
まず、ＤＳＰ３は、出力命令に基づいて、楽音データを処理して出力する。
次に、測定部１４は、出力された楽音の音圧レベルを検出する。
次に、駆動制御部６は、測定部１４の検出結果に基づいて、メモリ３１の臨界帯域データを参照し、臨界帯域データにおいて対応付けられる臨界テーブルの値（臨界帯域内となる周波数の値）のモータ５ａの駆動音の周波数となるようにモータ５ａを制御する。
具体的には、本実施形態においては、測定部１４により検出された楽音の周波数に基づいて、図７に示すように、スペクトルマスキングにおける臨界帯域内の周波数が決定される。例えば、楽音の周波数が１００Ｈｚの場合には、図７中ハッチングで示すように５０Ｈｚから４００Ｈｚ付近の範囲の内の周波数が決定される。
次に、スピーカ４は、再生処理された楽音に基づいて、楽音を出力する。
【００７３】
以上のように動作する本実施形態は、楽音の出力があった場合において、検出される楽音の周波数に基づいて、スペクトルマスキング効果により、ユーザに聞こえにくくなる周波数を決定する。そして、駆動制御部６により、決定された周波数になるような回転数でファン５ｂを回転駆動するために、ユーザは、スペクトルマスキング効果により、騒音となるファン５ｂの駆動音が聞こえにくくなる。
したがって、本情報処理装置１においては、楽音が劣化しにくい状態で、騒音となる駆動音を低減することができる。
【００７４】
また、本実施形態において、マイク１１により音声等の入力を行う場合には、駆動制御部６により回転駆動されるファン５ｂの回転数により決定される駆動音の周波数に基づいて、イコライザ１２Ｃにより遮断する周波数帯を決定する。
【００７５】
このように構成することにより、本実施形態おいては、音声等をマイク１１から入力した場合には、イコライザ１２Ｃにより駆動音が遮断されるために、音声等のみが入力される。このため、本実施形態においては、マイク１１からの入力音から騒音となるファン５ｂの駆動音を低減させることができる。
【００７６】
以上、本発明に係る電子機器のうち好適な実施形態について説明したが、上述した実施形態に限定されることなく種々の形態で実施することができる。
【００７７】
なお、第１から第４の実施形態においては、電子機器の一例として、情報処理装置１に適用した例を挙げて説明したが、これに限られない。携帯端末等の電子機器でも適用可能であり、例えば、携帯電話機に適用することができる。携帯電話機に適用した場合には、楽音の出力部として、受話用のスピーカや着信等に用いるスピーカを利用することができる。また、送話用のマイクを本実施形態におけるマイク１１として利用することができ、新たにマイクを設ける必要がなく兼用することができる。また、駆動音を発生させる駆動部として、バイブレータを駆動部することにより、バイブレータの駆動と送話や着信等による出力や受話や録音等の入力が同時に行われた場合においても、バイブレータの駆動音（騒音）を低減した送話音や着信音等を提供することができる。
【符号の説明】
【００７８】
１    情報処理装置（電子機器）
２    筐体
３    ＤＳＰ（再生処理部）
４    スピーカ（出力部）
４ａ  放音面
５ａ  モータ（駆動部）
５ｂ  ファン（回転体）
６    駆動制御部
７    加工部
１１  マイク（集音部）
１３  遅延処理部
１４  測定部（周波数測定部）
２１  開口部
２２  導音経路
【図１】
2011175113.tif 000003
【図２】
2011175113.tif 000004
【図３】
2011175113.tif 000005
【図４】
2011175113.tif 000006
【図５】
2011175113.tif 000007
【図６】
2011175113.tif 000008
【図７】
2011175113.tif 000009